(57)【要約】【課題】光クロージャのスリーブ開封を容易に行うことができ、開封時に光ケーブルや光接続部を傷付けることのない光クロージャ開封器具の提供。【解決手段】光クロージャの該スリーブを開封する光クロージャ開封器具であって、スリーブの両方のスリーブ片にそれぞれ形成された係止部に係合する係合穴１１が一端側に設けられた２つの開封部材１２，１３をそれぞれの中央部で重ね合わせて軸止してなり、一方の開封部材の他端側にネジ挿入孔１４を、他方の開封部材の他端側にネジ螺着部１５をそれぞれ有する器具本体１６と、前記ネジ挿入孔から挿入されて前記ネジ螺着部に螺着され、正逆いずれかの方向に回すことで前記開封部材の一端側どうしを離間または接近させるように取り付けられた作動ネジ１７とを含む光クロージャ開封器具１０。【選択図】  図１
2004240031.tif 000002
【特許請求の範囲】
【請求項１】
光ケーブル（２）が引き込まれ、光ケーブルから引き出した光ファイバの光接続部が、一方のスリーブ片（３）に対して他方のスリーブ片（４）を着脱可能に取り付けて密封するスリーブ（５）内に収納された光クロージャ（１）の該スリーブを開封する光クロージャ開封器具であって、
前記スリーブの両方のスリーブ片にそれぞれ形成された係止部に係合する係合部が一端側に設けられた２つの開封部材（１２，１３）をそれぞれの中央部で重ね合わせて軸止してなる器具本体（１６）と、これらの開封部材を、それぞれの係合部を離間する方向に押し広げる開封手段とを備えた光クロージャ開封器具（１０）。
【請求項２】
前記スリーブの両方のスリーブ片にそれぞれ形成された係止部に係合する係合部が一端側に設けられた２つの開封部材をそれぞれの中央部で重ね合わせて軸止してなり、一方の開封部材の他端側にネジ挿入孔（１４）を、他方の開封部材の他端側にネジ螺着部（１５）をそれぞれ有する器具本体と、前記ネジ挿入孔から挿入されて前記ネジ螺着部に螺着され、正逆いずれかの方向に回すことで前記開封部材の一端側どうしを離間または接近させるように取り付けられた作動ネジ（１７）とを含むことを特徴とする請求項１に記載の光クロージャ開封器具。
【請求項３】
前記係止部が前記スリーブ片の外面から突出形成された開封用リブ（６）であり、前記係合部が該開封用リブを挿入可能な係合穴（１１）又は係合凹部である請求項１又は２に記載の光クロージャ開封器具。
【請求項４】
前記作動ネジが、前記光接続部の取付用のネジの回転に用いられる工具に適合した頭部（１７ａ）を有する請求項２又は３に記載の光クロージャ開封器具。
【発明の詳細な説明】
【０００１】
【発明の属する技術分野】
本発明は、光ケーブルの接続部に設けられ、内部に光トレーを収納してなる光クロージャのスリーブを開封するための光クロージャ開封器具に関する。
【０００２】
【従来の技術】
一般に、光ケーブルの接続部においては、中継用の光クロージャが設けられており、この光クロージャ内で光ファイバはケーブルから引き出され、余長部分を設けた状態で光ファイバ同士が接続されている。図６に従来の光クロージャの一例を示す。この図中符号１は光クロージャであり、この光クロージャ１は光ケーブル２が引き込まれ、光ケーブル２から引き出した図示しない光ファイバの光接続部が、一方のスリーブ片３に対して他方のスリーブ片４を着脱可能に取り付けて密封するスリーブ５内に収納された構成になっている（例えば、特許文献１参照。）。
光クロージャ１の端部には、一方のスリーブ片３側のリブ６と他方のスリーブ片４側のリブ６とがスリーブ分割線８を挟んで隣接して設けられている。
【０００３】
このような光クロージャ１において外装体をなすスリーブ５は、一方のスリーブ片３に対して他方のスリーブ片４を取り付け、両者を接近させる方向に押圧することで、いずれか一方のスリーブ片側に設けられた図示しない突起が他方のスリーブ片に設けられた図示しない嵌合凹部に嵌合し、それによってスリーブ５が密封状態となるように構成されている。
一方、光ファイバの接続作業や光接続部の点検等を行う場合、密封状態にあるスリーブ５のそれぞれのスリーブ片３，４を開封する場合には、図７に示すように、それぞれのスリーブ片３，４の端部に設けられたリブ６，６間にドライバーなどの工具７の先端を挿入し、工具７の後端側を押し上げ又は押し下げて、それぞれのスリーブ片３，４を固定する嵌合状態を解除してこじ開け、一方のスリーブ片３を他方のスリーブ片４から取り外し、光ファイバの接続作業や光接続部の点検等を行っている。
【０００４】
【特許文献１】
特開２００２−１３９６３４号公報
【０００５】
【発明が解決しようとする課題】
しかしながら、このような光クロージャにおいて、密封状態にあるスリーブを開封する際に、前述したような工具の先端をそれぞれのスリーブ片の端部に設けられたリブ間に挿入し、工具の後端側を押し上げ又は押し下げてスリーブをこじ開けて開封する時、工具の先端がリブから外れ、何度も開封作業を繰り返したり、工具の先端が滑って光ケーブルや光接続部に接触してそれらを傷付ける可能性があった。
【０００６】
本発明は前記事情に鑑みてなされたもので、光クロージャのスリーブ開封を容易に行うことができ、スリーブ開封時に光ケーブルや光接続部等を傷付けることのない光クロージャ開封器具の提供を目的とする。
【０００７】
【課題を解決するための手段】
前記目的を達成するため、本発明は、光ケーブルが引き込まれ、光ケーブルから引き出した光ファイバの光接続部が、一方のスリーブ片に対して他方のスリーブ片を着脱可能に取り付けて密封するスリーブ内に収納された光クロージャの該スリーブを開封する光クロージャ開封器具であって、前記スリーブの両方のスリーブ片にそれぞれ形成された係止部に係合する係合部が一端側に設けられた２つの開封部材をそれぞれの中央部で重ね合わせて軸止してなる器具本体と、これらの開封部材を、それぞれの係合部を離間する方向に押し広げる開封手段とを備えた光クロージャ開封器具を提供する。
本発明の光クロージャ開封器具において、前記スリーブの両方のスリーブ片にそれぞれ形成された係止部に係合する係合部が一端側に設けられた２つの開封部材をそれぞれの中央部で重ね合わせて軸止してなり、一方の開封部材の他端側にネジ挿入孔を、他方の開封部材の他端側にネジ螺着部をそれぞれ有する器具本体と、前記ネジ挿入孔から挿入されて前記ネジ螺着部に螺着され、正逆いずれかの方向に回すことで前記開封部材の一端側どうしを離間または接近させるように取り付けられた作動ネジとを含むことが好ましい。
また、前記係止部が前記スリーブ片の外面から突出形成された開封用リブであり、前記係合部が該開封用リブを挿入可能な係合穴又は係合凹部である構成としてよい。
また、前記作動ネジは、前記光接続部の取付用のネジの回転に用いられる工具に適合した頭部を有することが好ましい。
【０００８】
【発明の実施の形態】
以下、図面を参照して本発明の実施形態を説明する。
図１〜３は、本発明の光クロージャ開封器具の一実施形態を示す図であり、これらの図中符号１０は光クロージャ開封器具（以下、開封器具と略記する）である。この開封器具１０は、スリーブ５の両方のスリーブ片３，４にそれぞれ形成された係止部としてのリブ６に係合する、係合部としての係合穴１１が一端側に設けられた２つの開封部材１２，１３をそれぞれの中央部で重ね合わせて軸止してなり、一方の開封部材１２の他端側にネジ挿入孔１４を、他方の開封部材１３の他端側にネジ螺着部１５をそれぞれ有する器具本体１６と、開封手段として、ネジ挿入孔１４から挿入されてネジ螺着部１５に螺着され、正逆いずれかの方向に回すことで開封部材１２，１３の一端側どうしを離間または接近させるように取り付けられた作動ネジ１７とを備えて構成されている。
【０００９】
前記開封部材１２，１３は、係合穴１１が設けられた一端側から軸止された中央部まではほぼ真っ直ぐであり、中央部から屈曲して他端側が延びて、く字状をなしている。２つの開封部材１２，１３は、それぞれの中央部の一部を重ね合わせ、図１に示すように開封部材１２，１３の他端側が離間した時に一端側が接近し、図２に示すように他端側を接近させる方向に移動させると一端側が離間方向に動くように軸止されている。この開封部材１２，１３は、それぞれの係合穴１１を密閉状態にある光クロージャ１のリブ６に係合し、作動ネジ１７を回してスリーブ５を開封するために十分な機械強度を有している。
【００１０】
開封部材１２，１３の一端側に設けられた係合穴１１は、光クロージャ１のリブ６を挿入可能な大きさに形成されている。なお、リブ６の代わりに他の係止部、例えばスリーブ５外面に形成された凹部を係止部とする場合、開封部材１２，１３の一端側にその凹部に係合する突起を設けてもよく、開封部材１２，１３の一端側に係合穴１１と突起とを両方設けた構成としてもよい。
【００１１】
一方の開封部材１２の他端側に設けられたネジ挿入孔１４は、作動ネジ１７の雄ネジ部分が左右方向に若干移動可能に挿入されるが、作動ネジ１７の頭部１７ａは通過できない長穴状に穿設されている。作動ネジ１７の頭部はワッシャを介して一方の開封部材１２と接している。
また他方の開封部材１３の他端側に設けられたネジ螺着部１５は、この他方の開封部材の他端側に形成された貫通孔を通して挿入された作動ネジ１７の雄ネジ部分と螺合する図示しない雌ネジ孔を有している。このネジ螺着部１５の構造はこれに限定されず、例えば他方の開封部材の他端側に形成された貫通孔の少なくとも一部に前記作動ネジの雄ネジと螺合する雌ネジを形成してもよい。
【００１２】
前記作動ネジ１７は、外周に雄ネジが設けられた長いボルトであり、その頭部１７ａは一方の開封部材１２の他端側に接し、雄ネジ部分はネジ螺着部１５に螺着されている。この作動ネジ１７の頭部１７ａを正方向（開封方向）に回すと、２つの開封部材１２，１３の他端側が接近方向に移動し、それによって開封部材１２，１３の一端側が離間方向に移動する。
【００１３】
作動ネジ１７の頭部１７ａは、光クロージャ１に収納された光接続部の取付用のネジの回転に用いられるレンチやドライバーなどの工具に適合した頭部を有することが好ましい。これによって必要最小限の工具で光クロージャ１の開封と、内部に収納された光接続部の取り付け等の作業を行うことができるので、作業能率を向上させることができる。
【００１４】
図４および図５は、前述した開封器具１０を用いた光クロージャ１の開封作業を説明するための図である。
密封状態にある光クロージャ１を開封するには、まず、図４に示すように、開封器具１０の係合穴１１に光クロージャ１のリブ６を嵌め入れる。光クロージャ１の端部には、一方のスリーブ片３側のリブ６と他方のスリーブ片４側のリブ６とがスリーブ分割線８を挟んで隣接して設けられている。開封器具１０は、図１に示すように係合穴１１が設けられた２つの開封部材１２，１３の一端側どうしが接触し、他端側どうしが離間した状態で、それぞれの係合穴１１にリブ６が嵌入される。
【００１５】
次に、図５に示すように、作動ネジ１７の頭部１７ａに工具を装着し、作動ネジ１７を正方向（開封方向）に回す。作動ネジ１７の回転に伴って、開封部材１２，１３の一端側が離間方向に移動し、それぞれの係合穴１１に嵌め込まれたリブ６を介して、一方のスリーブ片３と他方のスリーブ片４間に離間方向の力が作用する。密封状態の光クロージャ１のスリーブ５は、いずれか一方のスリーブ片側に設けられた図示しない突起が他方のスリーブ片に設けられた図示しない嵌合凹部に嵌合しており、この開封器具１０によって、一方のスリーブ片３と他方のスリーブ片４間に離間方向の強い力を加えると、前記突起と嵌合凹部との嵌合状態が解除される。
【００１６】
一方のスリーブ片３と他方のスリーブ片４との嵌合状態が解除された後、開封器具１０の係合穴１１からリブ６を抜き出し、一方のスリーブ片３を容器の蓋のように取り外し可能となる。その後、スリーブ内の光ファイバ接続作業や保守点検作業を行う。
【００１７】
この開封器具１０は光クロージャ１のスリーブ５から開封器具１０を離脱しない限り、ネジ操作のみで光クロージャ１を円滑に開封することができ、開封作業性が良好となる。従来のマイナスドライバー等を利用した開封方法は、開封初期では、スリーブ５を少し開けても、手を離せば、また閉まってしまう。このようなスリーブ５の開封量を連続的に増大していくことは難しく、非常に労力が必要であった。
この開封器具１０を用いることによって、係合穴１１に光クロージャ１のリブ６を嵌め入れて作動ネジ１７を回すことで、光クロージャ１のスリーブ５開封を容易かつ確実に行うことができる。
また、スリーブ開封時に光ケーブルや光接続部等を傷付けることがなく、安全性に優れている。
さらに、この開封器具１０を複数使って、光クロージャ１の複数箇所を開封していくことで、スリーブ５に与える変形が少ない状態で開封作業を行うことができる。特に、光クロージャ１の長手方向両端で、交互に少しずつ、或いは同時に開封作業を進めることによって、スリーブ５の変形防止効果が大きくなり、開封時の変形による光クロージャ１の寿命低下を抑えることができる。
【００１８】
なお、前述した開封器具１０は本発明の一例に過ぎず、本発明はこれに限定されることなく、種々の変更が可能である。
例えば、前記例示では、開封器具１０の係合部として係合穴１１を設け、この係合穴１１に光クロージャ１のリブ６を嵌め込む構成としたが、光クロージャ１に凹部を設け、この凹部に係合する凸部を開封部材１２，１３側に設けた構成としてもよい。
また、２つの開封部材１２，１３は、中央部で完全に交差させて軸止し、２つの開封部材１２，１３の一端側を離間方向に移動させると他端側も離間方向に移動し、一端側を接近方向に移動させると、他端側も接近方向に移動するように構成することもできる。
さらに、前記例示では、開封手段として、器具本体の一方の開封部材の他端側にネジ挿入孔を、他方の開封部材の他端側にネジ螺着部をそれぞれ設け、ネジ挿入孔から挿入されて前記ネジ螺着部に螺着され、正逆いずれかの方向に回すことで開封部材の一端側どうしを離間または接近させる作動ネジを設けた構成としたが、開封手段としては、光クロージャに取り付けた開封部材に押し広げ力を十分に加えることができ、かつ押し広げ操作を停止しても、押し広げ状態を維持できるものであれば良く、前記例示による作動ネジを用いる以外に、例えば梃子式レバーとラチェット機構を組合せ、ラチェット機構により梃子式レバーを押し広げて固定し、使用後にラチェットの係合を解除すれば開封部材を閉じた状態にできるように構成された開封手段などを用いることもできる。
【００１９】
【発明の効果】
以上説明したように、本発明の開封器具は、係合穴に光クロージャの係止部を係合し、開封手段を作動させることで、光クロージャのスリーブ開封を容易かつ確実に行うことができる。
また、スリーブ開封時に光ケーブルや光接続部等を傷付けることがなく、安全性に優れている。
さらに、この開封器具を複数使って、光クロージャの複数箇所を開封していくことで、スリーブに与える変形が少ない状態で開封作業を行うことができ、開封時の変形による光クロージャの寿命低下を抑えることができる。
【図面の簡単な説明】
【図１】本発明の光クロージャ開封器具の一実施形態を示す平面図である。
【図２】同じ光クロージャ開封器具のそれぞれの係合穴側を離間させた状態を示す平面図である。
【図３】同じ光クロージャ開封器具の斜視図である。
【図４】本発明の光クロージャ開封器具によるスリーブ開封操作を示し、開封器具をリブに取り付けた状態を示す側面図である。
【図５】同じく作動ネジをスリーブ開封方向に回しスリーブを開封した状態を示す側面図である。
【図６】光クロージャを例示する正面図である。
【図７】従来の光クロージャ開封操作を示す側面図である。
【符号の説明】
１…光クロージャ、２…光ケーブル、３…一方のスリーブ片、４…他方のスリーブ片、５…スリーブ、６…リブ（係止部）、１０…開封器具（光クロージャ開封器具）、１１…係合穴（係合部）、１２，１３…開封部材、１４…ネジ挿入孔、１５…ネジ螺着部、１６…器具本体、１７…作動ネジ、１７ａ…頭部。
【図１】
2004240031.tif 000003
【図２】
2004240031.tif 000004
【図３】
2004240031.tif 000005
【図４】
2004240031.tif 000006
【図５】
2004240031.tif 000007
【図６】
2004240031.tif 000008
【図７】
2004240031.tif 000009